(57)【特許請求の範囲】
【請求項１】
ベランダに設ける仕切り用パネルを手摺り側で支持する複数の手摺り側取付具と、住戸の壁面側で支持する壁面側取付具とを介して取り付ける仕切り用パネルの取付構造であり、
上記手摺り側取付具は、上記手摺りに固定され、取り付け用長孔が壁面に向けて伸びるように形成されたスライド部を有する固定部材と、上記パネルの一方の縦枠を保持し、上記長孔に挿通された連結部材を介して進退可能かつ揺動自在に設けてある支持部材とからなり、
上記壁面側取付具は、上記パネルの長辺に対応する長さと当該長辺の縦枠を挟持する溝部を有するコ字状断面に形成された溝形部材と、上記縦枠を上記溝形部材に取り付ける固定ボルトとからなり、
上記パネルの一方の縦枠は複数の上記手摺り側取付具によって進退可能かつ揺動可能に支持され、上記パネルの他方の縦枠は上記壁面側取付具の当該溝部に狭持され、複数か所で上記固定ボルトによって固定してある
ことを特徴とする仕切り用パネルの取付構造。
【請求項２】
請求項１において、上記溝形部材に設けてある上記固定ボルトの固定孔のうち上記パネルの上端部近傍及び下端部近傍の固定孔以外の孔は上記手摺りと対向する部分が開口になっている
ことを特徴とする仕切り用パネルの取付構造。
【請求項３】
ベランダに設ける仕切り用パネルを手摺り側で支持する複数の手摺り側取付具と、住戸の壁面側で支持する壁面側取付具とを組み合わせて構成され、
上記手摺り側取付具は、上記手摺りに固定され、取り付け用長孔が壁面に向けて伸びるように形成されたスライド部を有する固定部材と、上記パネルの一方の縦枠を保持し、上記長孔に挿通された連結部材を介して進退可能かつ揺動自在に設けてある支持部材とからなり、
上記壁面側取付具は、上記パネルの長辺に対応する長さと当該長辺の縦枠を挟持する溝部を有するコ字状断面に形成された溝形部材と、上記縦枠を上記溝形部材に取り付ける固定ボルトとからなり、
上記パネルの一方の縦枠は複数の上記手摺り側取付具によって進退可能かつ揺動可能に支持され、上記パネルの他方の縦枠は上記壁面側取付具の当該溝部に狭持され、複数か所で上記固定ボルトによって固定される
ことを特徴とする仕切り用パネルの取付具。
【請求項４】
請求項３において、上記溝形部材に設けてある上記固定ボルトの固定孔のうち上記パネルの上端部近傍及び下端部近傍の固定孔以外の孔は上記手摺りと対向する部分が開口になっていることを特徴とする仕切り用パネルの取付具。
【発明の詳細な説明】
【０００１】
【発明の属する技術分野】
本発明は、ベランダ等に設ける仕切り用パネルの取付構造及び取付具に関するものである。
【０００２】
【従来の技術】
周知の通り、いわゆる中高層の集合住宅のベランダ（バルコニー）には、隣家との境界に仕切り用パネル（パーテーション）が設けてある。このようなパネルは建築時に一旦設置されると、殆んど半永久的に取り付けられた状態を維持している。
【０００３】
通常の仕切り用パネルの取り付け構造は概ね次のようになっている。すなわち、長方形の仕切り用パネルをベランダの壁面と手摺りとの間にパネルを垂直に立て、一長辺側の縦枠を取付具を介して２〜３か所で手摺りに固定し、他長辺側の縦枠を同じく取付具を介してボルトで３〜５か所で壁面に固定することにより取り付けている。
【０００４】
仕切り用パネルの取付構造の例としては、図６に示すように、壁面６１及び手摺り６２に設けてある埋め込みボトル６３，６３でＬ字形の取付具６４，６４を固定し、各取付具の側面に仕切り用パネル６５の縦枠６５ａ，６５ａを当接し、これらを固定ボルト６６，６６で固定している。
【０００５】
【発明が解決しようとする課題】
上記の仕切り用パネルの取り付け構造は、パネルの両方の側に作業者がいないとボルト又はナットを回すことができないため着脱作業が面倒になっているが、日常生活上は仕切りパネルを取り外す必要はないので問題は生じない。
【０００６】
しかしながらベランダ塗装などのメンテナンスを行う場合には、各階ごとに横並びの住戸にまたがって作業する必要が生じる。このような場合にはベランダを通って往来することができない不便さがある。さらにこのような場合には、これらのパネルの存在によりベランダの外側に足場を設けて移動しなければならならないなど作業上の障害となっている。
【０００７】
また、ベランダ上を住戸に沿って移動可能な足場を使用する場合にも、仕切り用パネルの存在によって移動範囲を制約される結果となっている。そこで、メンテナンスなどを行う際には、このパネルを一時取り外し、各住戸間をベランダを通って自由に往来可能とすることも行われている。
【０００８】
ところが、上述したように仕切り用パネルの着脱作業は面倒であり、しかも工事が一日で終わらないような場合には、夜間は一旦取り付けておかなければならないので、翌日になって再び取り外して作業をしなければならないため、作業能率を著しく阻害している問題がある。
【０００９】
また、仕切り用パネルは隣家との境界で人間の往来を遮断することはもとより、視線をも遮断する機能を要求されている。したがって面積が大きくかつ視界を遮断可能な構成を採用してあるため、重量が大きくなるとともに風圧なども大きくなるために取付具の荷重負担が大きくなっている。しかし、上記したＬ字形の取付具６４，６４を用いて固定する構成では強度的に不十分となっている問題がある。
【００１０】
そこで本発明の目的は、仕切り用パネルの着脱を容易にすることによりベランダのメンテナンス等の作業能率の向上を図るとともに、仕切り用パネルの強度向上を実現することにある。
【００１１】
【課題を解決するための手段】
上記の目的を達成するために本発明の仕切り用パネルの取り付け構造は、パネルを揺動可能かつスライド自在に支持可能な手摺り側取付具と、パネルの縦枠を狭持可能な溝部を有するコ字状断面に形成された溝形部材と、縦枠を取り付ける固定ボルトとからなる壁面側取付具とを介して取り付けることにより、パネルの取り付け及び開閉を容易としてある。このことは、パネル取り付け作業及びベランダのメンテナンス等における作業能率の向上を実現するものである。
【００１２】
具体的には、パネルの一方の縦枠を複数の手摺り側取付具によって進退可能かつ揺動可能に支持し、パネルの他方の縦枠を壁面側取付具の溝部に挟持し、複数か所で固定ボルトによって固定してある。これによりベランダのメンテナンスなどの際に隣家との通行上の障害を除くためにパネルを開放する際には、固定ボルトを外してパネルを手摺り側にスライドさせることにより壁面側の縦枠を溝部から離脱させ、手摺り側取付具の連結部材を中心としてパネルを回し、このパネルを手摺りに対向当接可能とするものである。
【００１３】
また、溝形部材に設けてある固定ボルト取り付け用孔の少なくともパネルの上端部近傍及び下端部近傍の孔以外の孔は上記手摺りと対向する部分を開口にしてある。これは縦枠を溝形部材に対して着脱する際に固定ボルトを縦枠に挿着したままにしておくことができるため、手の届かない反対側に他の作業者がいなくてもボルトの締め付け及び取り外しを可能とするものである。
【００１４】
また、壁面側取付具は、溝形部材の溝部に縦枠を挟持することにより強度的に優れた取り付け構造の実現を図ってある。
【００１５】
上記の仕切り用パネルの取付構造は、仕切り用パネルの取付具の採用により広くパネルの取付構造全般に適用可能であるので、複数の手摺り側取付具と、壁面側取付具とを組み合わせて構成したものを供給可能とすることにより、本発明の採用促進をはかるようにしてある。
【００１６】
【発明の実施の形態】
以下、本発明の実施の形態の一例について図面を参照して説明する。
【００１７】
図１は、本発明の適用によって仕切り用パネル１をベランダ２の手摺り２ａ及び住戸の壁面２ｂに取り付けてある状態を示している。仕切り用パネル１は従来技術におけるパネルに準じたものを採用してあり、一方の長辺側の縦枠１ａと他方の長辺側の縦枠１ｂと３本の横枠１ｃ及びこれらの枠によって固定されているフレキシブルボード１ｄとにより構成してある。
【００１８】
パネル１のベランダ２への取り付けは、手摺り２ａ側は２つの手摺り側取付具３，３によって支持され、壁面２ｂ側は壁面に垂直に固定された壁面側取付具４によって固定してある。
【００１９】
図２に示すように、手摺り側取付具３は、固定部５及びこの固定部に連結部材である通しボルト８を介して移動可能かつ揺動自在に支持された支持部６を備えている。パネル１は一方の縦枠１ａを支持部６及びこの支持部にパネルを取り付ける支持ボルト７ａ及びナット７ｂによって取り付けてある。固定部５はアンカーボルト９により手摺り２ａに固定されている。
【００２０】
固定部５はアルミニウム押出し形材を採用し、手摺り２ａに当接してアンカーボルト９等により固定される部分である固定部５ａと、この固定部から壁面２ｂに向けて伸びる長孔５ｂを有するスライド部５ｃとからなる。
【００２１】
支持部６は同じくアルミニウム押出し形材を採用し、Ｌ字状に形成された保持部６ａと、保持部の一辺の基部に形成されている連結部６ｂとからなる。固定部５と支持部６との連結は、固定部の上面に支持部が垂直になるように載置され、この連結部の挿通孔（図示略）及び固定部の長孔５ｂとに通しボルトからなる連結部材８を挿通し、下方に突出したボルトの先端部を図示していないナットで固定することにより行われている。
【００２２】
壁面側取付具４は、壁面側の縦枠１ｂを狭持可能な幅の溝部１１ａを有する断面コ字状の溝形部材１１及び狭持した縦枠を固定する固定ボルト１２及びナット１３とにより構成されている。
【００２３】
図２，３に示すように、壁面側取付具４を構成する溝形部材１１は、アルミニウムチャンネルをパネル１の長辺（縦枠）の長さに合わせて切断し、底辺に壁面への固定のための透孔が３〜５か所に設けたものとしてある。また、溝形部材１１の両側辺には、固定ボルト１２を挿通可能な固定孔１１ｄ，１１ｅが設けてある。これらの固定孔のうち、上下の両端部近傍の固定孔１１ｄ，１１ｄは位置合わせに余裕を持たせるために水平方向に長い長孔としてあるのに対し、中央部の固定孔１１ｅ，１１ｅは水平な長孔の一側部、すなわち手摺り２ａと対向する部分は、そのまま側辺まで切欠してなる開口としてある。
【００２４】
これは固定ボルト１２を予めパネルの縦枠に挿通し、ナット１３を緩くねじ込んだ状態にして、縦枠を溝形部材１１の前方から溝部１１ａ内に押し込む際に同時にこのボルトの胴部が開口から長孔１１ｅに挿通可能とするために採用された手段である。したがってこの溝形部材を壁面２ｂに固定した場合には、手摺り２ａと対向する部分が開口となっているため、パネル１に固定ボルト１２を取り付けたまま溝部１１ａに対して出し入れ可能である。
【００２５】
次に本発明によるパネルの取り付け要領について図４を参照して説明する。
初めに手摺り側取付具３の固定部材５をアンカーボルト９を用いて手摺り２ａに取り付ける。アンカーボルト９は、予め手摺り２ａの所定位置に下穴を設け、これにホールインアンカーボルトを打ち込んだものを用いる。固定部材５は固定部５ａを手摺りに当接してアンカーボルト９を介して固定する。このとき長孔５ｂは壁面に向かって伸びるとともに垂直になるように取り付ける。
【００２６】
なお手摺り側取付具３をアルミニウム等の金属製支柱に取り付ける場合には、固定部材５はブラインドリベット２２により支柱２１に固定する（図２（ｂ）参照 ）。図面では固定部材５は支柱の壁面との対向面に設けてあるが、別の型式 の固定部材では支柱の側部に設けるようにしてもよい。
【００２７】
次に壁面側取付具４の溝形部材１１を壁面２ｂに取り付ける。予めアンカーボルト９を所定位置に打ち込んでおき、これに合わせて溝形部材１１を垂直になるようにかつ溝部１１ａを手摺側に向けて挿着し、複数箇所でナットを用いて固定する（図４（ｂ）参照）。なお、手摺側取付具３と壁面側取付具４との取り付け順序はどちらが先でもよい。
【００２８】
次にパネル１の壁面側の縦枠１ｂに予め穿設してある固定孔のうち、上下２か所の孔を除く中間位置の孔に予めボルト１２を挿し込み、ナット１３を緩くねじ込んだ状態にして開口孔１１ｅにボルトの胴部を位置合わせし、縦枠１ｂを溝部１１ａ内に嵌め込み、建入れを見た後にナットを締め付けて固定する（図４（ｃ）参照）。続いて壁面側縦枠１ｂの上下の取り付け穴と溝形部材１１の取り付け穴１１ｄとに裏側から固定ボルト１２を通して反対側である手前側からナット１３をねじ込んで固定する。
【００２９】
次にパネル１の手摺り側の縦枠１ａに支持部材６のＬ字形になっている支持部６ａの内側（図２参照）を合わせ、連結部６ｂを固定部材５のスライド部５ｃの高さになるように位置を合わせる。さらに支持部６ａに予め穿設してあるボルト穴に合わせて縦枠１ａにドリルで取付孔を穿ち、ここにボルト７ａを裏側から挿し込んで反対側の手前側からナット７ｂで固定する。
【００３０】
次に支持部材の連結部６ｂの上方から連結部材（通しボルト）８を挿し込み、その下端部にナット８ａをねじ込んで手摺り側縦枠の取り付けが終わる。
【００３１】
次にパネルを開放してベランダ上で隣家との境界を通行可能とするための操作について説明する。まず、連結部材である通しボルト８のナットを緩めてスライド可能かつ揺動自在とする。次に壁面側取り付具４の上下の各固定ボルト１２，１２を取り付けるときの逆の操作により固定孔１ｅ，１ｅから取り外す。次に中央部のナットを緩めてからパネル１を手摺り側にスライドさせる。この時には、壁面側縦枠１ｂの中央部の固定ボルト１２は、開口固定孔１１ｅから容易に離脱可能である。
【００３２】
また、手摺り側取付具３の支持部材６は、連結部材９が長孔５ｂ内で進退可能になっているため、スライド部５ｃ上で手摺り２ａに向かって連結部材とともに接近する方向へ移動させる。
【００３３】
この結果、壁面側の縦枠１ｂは壁面側取付具４の溝部１１ａから離脱し、手摺り側取付具３の連結部材９を中心として揺動可能となる。そこで揺動可能になったこのパネル１を手摺り２ａと対向当接するまで静かに回転させ、壁面側の縦枠１ｂをクランプ手段等を用いて手摺り１ａに固定する（図５参照）。
【００３４】
このようにパネル１を開放状態に維持することにより境界を越えて通行可能とした状態でベランダのメンテナンス等の作業を行うが、これらの作業が１日で終了せず翌日以降に繰り越されるような場合には、夜間も開放しておくことはプライバシーの保護及び防犯上の問題がある。そこで一旦パネルの仮取付けを行い翌日再び開放する作業が必要となる。
【００３５】
この場合には、強風等が予想されない限り、次の要領で仮固定を行うだけでよい。まずパネルを開放状態から閉鎖位置まで戻し、壁面側の縦枠１ｂを壁面側取付具４の溝部１１ａ内に進入させる。このとき、中央部の２本の固定ボルト１２，１２は外しておき、上端部近傍又は下端部近傍のいずれかの固定ボルト１２でパネルの壁面側の縦枠１ｂを軽く固定するだけでよい。この結果、翌日再びパネルを開放する際には着脱作業が著しく簡略化する。
【００３６】
メンテナンス等の作業終了後はパネルを再び通常の状態に戻すのであるが、この場合には、壁面側の縦枠１ｂを４か所の固定ボルトで完全に固定するとともに、手摺り側取付具３は、通しボルト８をきつく締め付けて支持部材６を固定するだけでよい。
【００３７】
上述の通り、本発明は仕切り用パネルの着脱や開放及び閉鎖の作業が容易になるという利点に加えて、壁面側取付具を溝形部材で構成してあるため、安価かつパネルの両面を支持することにより、強度的に秀れたものとなっている。その他、壁面側の縦枠１ｂが溝形部材１１内に嵌め込まれているため、壁面とパネルとの間に隙間が生じないものとなる。これにより隣家の住人と顔を合わせて気拙い思いをすることもなくなるなど、プライバシーの保護に役立つ利点がある。
【００３８】
上述したように、本発明は仕切り用パネルを複数の手摺り側取付具３と壁面側取付具４とを組み合わせて仕切り用パネルの取付具一式を準備すればだれにでも実施が容易である。そこで仕切り用パネルの型式や手摺りの構造に対応した取付具一式をまとめて供給可能とすれば、共同住宅などの施工者はこれらの取付具一式を必要な数だけ入手することにより、上記の仕切り用パネルの取付構造を容易に採用可能となる。
【００３９】
なお、パネルの構造も図示のものに限定する趣旨ではなく、各種のパネルについて適用可能である。さらに壁面側の固定か所を４か所としてあるが、上下の固定ボルト以外に設ける中央部のボルトは２以上の任意の数としてもよい。
【００４０】
また、上記した取付具の各材質は一例であり、強度及び耐久性に秀れたものであれば、ステンレス材やアルミニウム材に拘わるものではない。
【００４１】
【発明の効果】
本発明によれば、仕切り用パネルの着脱作業やパネルの開閉操作が容易となるため、パネルの設置やベランダのメンテナンス作業が極めて容易になる。また、壁面側取付具を溝形部材で構成してあるので、パネルの支持強度を大きくできるとともに、壁面とパネルとの間に隙間を生じないのでプライバシー保護の機能が向上する。
【００４２】
また、壁面側取付具の溝形部材に設ける固定ボルト用の孔は、上端及び下端近傍の孔以外は手摺りと対向する部分を開口にすれば、ナットの取り付け手間を省けるので、パネルの開閉操作の際に単独作業でボルトの締め付けや取り外しが可能となる。
【００４３】
さらにまた、本発明の取付具はパネルの種類を選ばないので、多数の種類のパネルを用いた仕切り用パネルの取付構造として採用可能である。したがって複数の手摺り側取付具と壁面側取付具とを組み合わせたものを１組の仕切り用パネルの取付具として供給可能とすれば、本発明のパネルの取付構造の普及に貢献する効果がある。
【図面の簡単な説明】
【図１】本発明によるパネルの取付構造を示す側面図である。
【図２】図１Ｂ−Ｂ線の拡大断面図である。
【図３】壁面側取付具における取り付け要領を示すもので、（ａ）は斜視図、（ｂ）は断面図である。
【図４】パネルの取り付け要領を示す説明図である。
【図５】パネルが開放状態になっていることを示す側面図である。
【図６】従来技術を示す断面図である。
【符号の説明】
１                パネル
１ａ，１ｂ        縦枠
２                ベランダ
２ａ              手摺
２ｂ              壁面
３                手摺側取付具
４                壁面側取付具
５                固定部材
５ｂ              長孔
５ｃ              スライド部
６                支持部
８                連結部材（通しボルト）
１１              溝形部材
１１ａ            溝部
１１ｄ，１１ｅ    固定孔
１２              固定ボルト
【図１】
0004167351.tif 000002
【図２】
0004167351.tif 000003
【図３】
0004167351.tif 000004
【図４】
0004167351.tif 000005
【図５】
0004167351.tif 000006
【図６】
0004167351.tif 000007